(57)【特許請求の範囲】
【請求項１】
上下方向に沿う縦長スリットを周壁にもつ中空の支柱がベース上に立設されていること、および、上下方向に伸縮自在なガススプリングが支柱に内装されてその出力軸の下端が支柱の内部に固定されていること、および、支柱に対してガススプリングを非回転で伸縮可能にするため、ガススプリング用のものであるところの回転止が支柱の縦長スリットに上下スライド自在に嵌り込んでいること、および、支柱の上端から突出する延出部とこの延出部からさらに上方へ延び出す回転延出端部とがガススプリングに備わっていること、および、回転用のものであるところの座がガススプリングの回転延出端部に嵌め込まれてその回転延出端部に保持されていること、および、座に対して座受を前後方向に走行自在にするため、座受と座との間に前後方向走行用のレールとローラとを介在させて座受が座に組み付けられているとともに、前方への復帰力が座受に付与されていること、および、カムがガススプリングの延出部に取り付けられ、ローラを備えた揺動アームの一側端が座に枢着され、かつ、揺動アームのローラがカムに当接していること、および、座受と座のそれぞれに回転方向の復帰力を付与したり揺動アームのローラをカムに押しつけたりするためのスプリングが揺動アームに装着されていること、および、ガススプリングの作動子が回転延出端部の上端に備わっていること、および、ガススプリングの作動子を押し下げるための操作レバーが座に設けられているとともに、この操作レバーが作動子に対して押し下げ操作自在に対応していることを特徴とするスライドリターン装置付調高回転椅子。
【発明の詳細な説明】
【０００１】
【発明の属する技術分野】
本発明は、スライドリターン機能と調高機能とが兼備された回転椅子の改良に関する。
【０００２】
【従来の技術】
従来の回転椅子としては、座の上位にあって、前後方向へ摺動可能に取り付けられた座受に対して、前方向への復帰力を与えると共に回転軸に対して、座および座受に回転方向への復帰力を与えて、常に座が所定位置に復動自在なるよう構成した所謂スライドリターン装置付きのもの（特公昭５５−２１５６３）が知られており、一方、また脚部に対し、その上側部に存する座部が上下方向へ調高自在なるよう構成され、その高さが任意に加減できるようにした椅子も知られている。
【０００３】
しかし、上記したスライドリターン装置を有するだけの回転椅子であったり、調高装置のみをもった椅子では充分な機能を完備しているとは言い難い。
【０００４】
【発明が解決しようとする課題】
そこで、本発明は、上述の事情に鑑み、下方の脚部には、ガススプリングを適切に内装配設し、これを操作することにより、上方の座部を上下方向へ自動的に移動可能とすることで、その高さ調整が簡易に行えるよう構成すると共に、上記のガススプリングを、座部の下位に配設した座の回転軸として機能させ得るよう構成することで、スライドリターンだけでなく、調高機能をも具備させ、これにより、多面的な使い勝手を充分満足し得るようにし、さらに、構造的にも簡潔に製作可能とすることで、容易にして、かつ安価に提供できるようにするのが、その目的である。
【０００５】
【課題を解決するための手段】
本発明に係るスライドリターン装置付調高回転椅子は所期の目的を達成するために下記の課題解決手段を特徴とする。すなわち当該スライドリターン装置付調高回転椅子は、上下方向に沿う縦長スリットを周壁にもつ中空の支柱がベース上に立設されていること、および、上下方向に伸縮自在なガススプリングが支柱に内装されてその出力軸の下端が支柱の内部に固定されていること、および、支柱に対してガススプリングを非回転で伸縮可能にするため、ガススプリング用のものであるところの回転止が支柱の縦長スリットに上下スライド自在に嵌り込んでいること、および、支柱の上端から突出する延出部とこの延出部からさらに上方へ延び出す回転延出端部とがガススプリングに備わっていること、および、回転用のものであるところの座がガススプリングの回転延出端部に嵌め込まれてその回転延出端部に保持されていること、および、座に対して座受を前後方向に走行自在にするため、座受と座との間に前後方向走行用のレールとローラとを介在させて座受が座に組み付けられているとともに、前方への復帰力が座受に付与されていること、および、カムがガススプリングの延出部に取り付けられ、ローラを備えた揺動アームの一側端が座に枢着され、かつ、揺動アームのローラがカムに当接していること、および、座受と座のそれぞれに回転方向の復帰力を付与したり揺動アームのローラをカムに押しつけたりするためのスプリングが揺動アームに装着されていること、および、ガススプリングの作動子が回転延出端部の上端に備わっていること、および、ガススプリングの作動子を押し下げるための操作レバーが座に設けられているとともに、この操作レバーが作動子に対して押し下げ操作自在に対応していることを特徴とする。
【０００６】
【発明の実施の形態】
本発明に係るスライドリターン装置付調高回転椅子の一実施例を示した図１と図２によって、以下本発明を詳記すると、下方に配設の脚部１と、上方に配設された座部２とを具備している。
【０００７】
上記脚部１は、図１に示した如く、ベース３の中央に穿設の取付孔４に連結用ブロック５の下端部を嵌着し、当該ブロック５の中心には、上端を最大径に、下端が最小径となるように上下方向へ貫通して形成したテーパ孔６が貫設されている。さらに、このテーパ孔６と対応するテーパ部７ａが下端に形成されている中空の支柱７は、当該テーパ部７ａを上方から上記テーパ孔６に圧入固定することで、垂直に立設され、さらに上記ブロック５に被嵌した筒状のカバー８によって、上記の支柱７も離間空所Ｓを介して包被されている。
【０００８】
上記支柱７にはスリーブ９が内嵌され、当該スリーブ９の上端は、上記カバー８の頂壁８ａにおける中心に穿設した貫通孔８ｂに嵌着されており、これによって、支柱７とスリーブ９そしてカバー８が、ベース３上に一体に起立状態で固設されている。
【０００９】
上記の脚部１内には、座部２を昇降動自在なるよう調整可能とした調高装置１０が、以下のようにして組み込まれている。
【００１０】
すなわち、図１に明示の如く縦長筒状のガススプリング１１には、その上端側と下端側を除く外周にあって嵌着された合成樹脂製等のガイドブッシュ１２を介して、可動パイプ１３が下端側近傍まで長く被着されている。さらに、この可動パイプ１３は、上記した脚部１におけるスリーブ９にあって、上下方向へ摺動可能なるよう内嵌され、ガススプリング１１の下方へ突出している出力軸１１ａは、前記した支柱７内の下端部に架設されている支持板１４によって、支柱７に対し固定してあり、かくして、ガススプリング１１は支柱７内の軸心位置にあって、上下方向へ伸縮自在なるよう支持されることになる。
【００１１】
上記の可動パイプ１３は、その下端が上記ガススプリング１１の下端部周壁に螺子止めにより固定されている押上げリング１５と衝当状態にて支持され、同上可動パイプ１３の上端は、前記ガイドブッシュ１２の上端に固定された後述するカム２６の下端に対して突き合わせの状態で支持され、これによってガススプリング１１と一体化されている。
【００１２】
また、上記した支柱７とスリーブ９の一側部には、夫々の縦長スリット１６、１７が、重装状態となるように対応して形成され、この縦長スリット１６、１７には、上記可動パイプ１３の一側面から外向きに突設させてある回転止１８が、上下方向へ摺動自在なるよう係嵌されている。この結果、上記ガススプリング１１、つまり当該ガススプリング１１とガイドブッシュ１２および可動パイプ１３とは、上記支柱７内にあって、軸回り方向へは非回転であるが、長さ方向へは昇降自在に摺動可能となっている。
【００１３】
上記ガススプリング１１としては、既知の如く、上端に突出の作動子１１ｂが図１、図４のように突出状態にある平常時にあっては、充填されているガス圧によって外力を受けても伸縮しない所定長の状態を保持するが、上記作動子１１ｂに対して押し下げ力を付与すると、ガス圧により伸長状態となり、また下方へ外力を加えることにより、縮小状態とすることで、その長さを任意に調整（調高）できるよう構成されている。
【００１４】
次に、上方の座部２にはスライドリターン装置１９が次のように組み込まれている。
すなわち、図１および図２のように、座部２の構成部材である最上位に配装の座受２０には、左右両側部にあってレール２１、２１が併行に対設され、その下位には左右両側部に複数個のローラ２２、２２‥‥‥が軸支されている座２３が配装され、これには、当該ローラ２２、２２‥‥‥上に、上記レール２１、２１を係嵌載置することで、座受２０が図２に矢印ａ⇔ｂが示す前後方向へ摺動可能なるよう構成されている。
【００１５】
さらに、上記座受２０は、図示しない引張り発条や圧縮発条による引張り力を利用したり、図示の如く、ローラ２２、２２の取付け高さに段差を設けて、座受２０が矢印ａが示す前側部に向けて走行するよう構成し、これにより常に前方への復帰力が発揮されるようにしてある。
【００１６】
上記の座２３は、前記した調高装置１０におけるガススプリング１１の上方へ突出された回転延出端部１１ｃに外装固定したスリーブ２４に対して、軸孔２５が嵌着されている。
【００１７】
また、上記ガススプリング１１に外装固定した前記のガイドブッシュ１２が、前記のカバー８から上方へ出頭されている延出部１２ａには、ハート型等による所望形状のカム２６が嵌着されることで、当該カム２６はガススプリング１１に固定されている。このカム２６は、軸心からの半径を最も小さくして形成した凹部２６ａ側が、図２に矢印ｂが示す後側部側に指向するよう固定してあり、当該カム２６には、揺動アーム２７にピン２８等で枢着したローラ２９が係当されている。
【００１８】
上記揺動アーム２７は、その一側端２７ａを上記座２３の裏側に取付金具３０を介して支軸３１により枢着されていると共に、その可動端２７ｂ側にあって、一側端を係止し、他側端は上記座２３にあって植設したピン３２に係止することで張設したスプリング３３の弾性力を利用し、これにより上記カム２６にローラ２９を圧接係合して、座受２０並びに座２３が、所定回転方向への復帰力（戻し力）を受け得るようにしてある。
【００１９】
また、上記揺動アーム２７は、座２３に対して座受２０が前側部方向へ付勢されて、図示の位置にあるとき、座受２０の後側壁２０ａとほぼ併行状態で、かつ当該後側壁２０ａとカム２６との間に保持されるように設けられていると共に、可動端２７ｂを上記後側壁２０ａに近接して配装し、かつ当該可動端２７ｂと後側壁２０ａとの円滑な当接状態を確保するため、ローラ３４が枢着されている。
【００２０】
さらに、上記の座２３には、図２にあって平面略逆コ字型の取付金具３５を固定し、これには前記ガススプリング１１の上端から突出した前記、作動子１１ｂを押下自在に作動する操作レバー３６が枢着されている。
【００２１】
すなわち、上記操作レバー３６は、上記取付金具３５に枢着したレバー部３７と、その一側端部３７ａに固設した押下用片３８とにより形成され、上記レバー部３７の他側端部３７ｂは、図２に示した如く、座受２０から側方へ所定長さだけ延出した箇所から前方側へ曲折して、平面略Ｌ型に形成されており、このことによって、座部２に腰掛けたままの姿勢にて当該他側端部３７ｂを上下方向へ回動操作可能なるよう形成されている。
【００２２】
上記構成において、ガススプリング１１が縮小して最も短くなっているときは、座受２０、座２３は最も低い位置にあり、図１の状態に保持されているから、図示の矢印αが示す上方へ操作レバー３６が引き上げ回動されると、押下用片３８は図示した矢印ｅ方向へ回転下降して作動子１１ｂを押し下げることになり、これによってガススプリング１１は伸長状態になろうとする。
【００２３】
従って、操作レバー３６を所定角度だけ引き上げて回転させると、ガススプリング１１は図４に示した如く伸長するから、椅子に座った状態から少し腰をうかすようにすれば座受２０と座２３とが押し上げられ、操作レバー３６の引き上げを解除すれば、上記座受２０、座２３は押し上げられた当該高所に保持される。
【００２４】
次に、座受２０と座２３の高さを低くしようとするときは、同じく操作レバー３６の操作により作動子１１ｂを押下し、座受２０に座って、体重をかければ、ガススプリング１１が縮小し、所要高さになったならば、作動子１１ｂの押下を解除すればよい。
このようにして、座受２０と座２３を、ガススプリング１１の有効伸縮ストロークの範囲内でアナログ的に所望の高さに調整することができる。
【００２５】
次に、スライドリターン装置１９の動作につき説明する。
ガススプリング１１によって、カム２６は一定向きに保持されていると共に、座２３は定位置に回動可能な状態で保持されているから、座受２０が図３の矢印ｃ方向へ回転されると、レール２１、２１とローラ２２、２２‥‥‥の係嵌により、座受２０と座２３とは、ともに矢印ｃ方向へ回転される。
従って、カム２６の凹所２６ａに係嵌保持されていたローラ２９は、カム２６の凸面に対してスプリング３３の張力に抗して、揺動アーム２７が支軸３１を揺動支点として揺動しつつ係合し、座部２を矢印ｃ方向に向けることとなる。
【００２６】
このとき、揺動アーム２７の可動端２７ｂは座受２０の後側壁２０ａに対して常接状態に保持されると共に、ローラ２９がカム２６の凸面に乗り上がることによって、上記のように揺動される揺動アーム２７の可動端２７ｂ、すなわち、ローラ３４は座受２０の後側壁２０ａを押圧する結果となるため、座２３に対して座受２０は後側部ｂ方向に後退し、座部２も後退する。
【００２７】
このようにして図３が示す状態となった後も揺動アーム２７の可動端２７ｂは、座受２０の後側壁２０ａを押圧し続けるから、その反作用として揺動アーム２７自体は、カム２６側に力を作用させ、この力がスプリング３３の張力に加算される。
【００２８】
従って、図３の位置で座受２０並びに座２３に加えられる矢印ｃ方向への回転力が解放されると、これと同時に、スプリング３３の張力と、これに加算される揺動アーム２７の抑圧力によって、ローラ２９がカム２６のカム面を転動して、カム２６に回転方向への復帰力（戻し力）が与えられ、図２の位置に復帰すると共に、座２３に対して座受２０は前側部ａ方向へ復動する。
【００２９】
【発明の効果】
本発明は、以上説明したように構成されているので、座部のスライドリターン装置だけでなく調整装置をも具備していることから、椅子としての機能が向上して使用し易くなると共に、上記の調高装置は脚部内にガススプリングを配装することで構成し、しかも、当該ガススプリングの上端部である回転延出部と、その下位である延出部とを、夫々座の回転軸およびカムの固定軸として利用するようにしたから、調高装置とスライドリターン装置とを、特別な部材の介在付設なしに組み込み得ることになり、このため構造の簡潔化ができて、容易にして、かつ安価に製作することができる。
【図面の簡単な説明】
【図１】本発明に係るスライドリターン装置付調高回転椅子の実施例を示す縦断面側面図である。
【図２】同上実施例の平面図である。
【図３】同上実施例につき、図２の状態から座部が方向転換された状態を示す平面図である。
【図４】同上実施例につき、図１の状態から座部を上昇して高くした状態を示す縦断面側面図である。
【符号の説明】
３    ベース
７    支柱
１１    ガススプリング
１１ａ  出力軸
１１ｂ  作動子
１１ｃ  回転延出端部
１２ａ  延出部
１６    縦長スリット
１７    縦長スリット
１８    回転止
２０    座受
２１    レール
２２    ローラ
２３    座
２６    カム
２７    揺動アーム
２９    ローラ
３３    スプリング
３６    操作レバー
【図１】
0003566801.tif 000002
【図２】
0003566801.tif 000003
【図３】
0003566801.tif 000004
【図４】
0003566801.tif 000005